(57)【要約】  【課題】触刺激を加える際の不快感を低減することのできる皮膚刺激具を提供する。  【解決手段】一方の面１１に粘着テープ２０が貼付される円板１０と、円板１０の他方の面１２に形成された二本の第一の線状突起部１４−１、１４−２および二列の第二の線状突起部１５−１、１５−２と、を備える。第一の線状突起部１４−１、１４−２は、円板１０の中心を通る径方向の線１３に対して対称となるように形成され、それぞれの両端が円板１０の周縁に位置する。第二の線状突起部１５−１、１５−２は、第一の線状突起部１４−１、１４−２を挟み、かつ線１３に対して対称となるように形成され、それぞれの両端が円板１０の周縁に位置する。また、第二の線状突起部１５−１、１５−２は、第一の線状突起部１４−１、１４−２に対して、円板１０の他方の面１２からの高さが低くなるように形成されている。【選択図】図１
2012249788.tif 000002
【特許請求の範囲】
【請求項１】
粘着テープで皮膚に貼り付けることにより、皮膚を押圧して触刺激を与える皮膚刺激具であって、
一方の面に前記粘着テープが貼付される円板と、
前記円板の他方の面に、前記円板の中心を通る径方向の線を挟むように二本形成され、それぞれの両端が前記円板の周縁に位置する第一の線状突起部と、
前記円板の他方の面に、前記二本の第一の線状突起部の両側にそれぞれ、前記二本の第一の線状突起部に沿って形成され、それぞれの両端が前記円板の周縁に位置する第二の線状突起部と、を有し、
前記第二の線状突起部は、
前記第一の線状突起部に対して、前記円板の他方の面からの高さが低くなるように形成されている
ことを特徴とする皮膚刺激具。
【請求項２】
請求項１に記載の皮膚刺激具であって、
前記第一の線状突起部の両端部には、前記径方向に沿って、当該第一の線状突起部の前記円板の他方の面からの高さを半径とするアールが形成されており、
前記第二の線状突起部の両端部には、前記径方向に沿って、当該第二の線状突起部の前記円板の他方の面からの高さを半径とするアールが形成されている
ことを特徴とする皮膚刺激具。
【発明の詳細な説明】
【技術分野】
【０００１】
本発明は、痛みのある部位の皮膚に触刺激を加えることにより痛みを抑制する皮膚刺激具に関する。
【背景技術】
【０００２】
特許文献１には、皮膚に貼り付けて、凝った部分やつぼなどに刺激を与えることにより、血行をよくして凝りや痛みを除去する健康具が開示されている。この健康具は、図３に示すように、樹脂製の小円板５０の一方の面５１に、小円板５０の略直径の長さを有する第一の線状突起部５２と、第一の線状突起５２の両側に所定の間隔Ｔをあけて配置された二つの第二の線状突起部５３と、を備えている。第二の線状突起部５３は、第一の線状突起部５２と平行になるように設けられており、図示していないが、その中央にはギャップが形成されている。これらの線状突起部５２、５３が設けられた面５１を皮膚３０に向けて、凝った部分やつぼなどを押圧するように、この健康具を粘着テープ５４で皮膚３０に貼り付けることにより、刺激を与える。
【先行技術文献】
【特許文献】
【０００３】
【特許文献１】実用新案登録第３０５６０９９号公報
【発明の概要】
【発明が解決しようとする課題】
【０００４】
従来より、痛みがある部位と同じ分節に触刺激を加えると痛みが抑制されることが知られている（いわゆるゲートコントロール理論）。この触刺激を加える器具（皮膚刺激具）として、特許文献１に記載の健康具を用いることが可能である。
【０００５】
しかし、特許文献１に記載の健康具を用いた場合、皮膚３０を押圧する力Ａが図３に示すように一方向に加わり、その結果、皮膚３０の表面を引っ張る力Ｂが第二の線状突起部５３の外側縁部の近傍Ｃに集中して、利用者に不快感を与えることがある。
【０００６】
本発明は上記事情に鑑みてなされたものであり、本発明の目的は、触刺激を加える際の不快感を低減することのできる皮膚刺激具を提供することにある。
【課題を解決するための手段】
【０００７】
上記課題を解決するために、本発明の皮膚刺激具は、一方の面に粘着テープが貼付される円板と、この円板の他方の面に、形成された第一の線状突起部および第二の線状突起部と、を備える。第一の線状突起部は、円板の中心を通る径方向の線を挟むように二本形成され、それぞれの両端が円板の周縁に位置する。第二の線状突起部は、二本の第一の線状突起部に沿って、二本の第一の線状突起部の両側にそれぞれ形成され、それぞれの両端が円板の周縁に位置する。また、第二の線状突起部は、第一の線状突起部に対して、円板の他方の面からの高さが低くなるように形成されている。
【発明の効果】
【０００８】
本発明によれば、第一、第二の線状突起部が設けられた面を皮膚に向けて、痛みのある部位などを押圧するように粘着テープで皮膚刺激具を皮膚に貼り付けることにより、利用者に与える不快感を抑えつつ触刺激を加えることができる。
【図面の簡単な説明】
【０００９】
【図１】図１（Ａ）は、本発明の一実施の形態に係る皮膚刺激具の概略正面図であり、図１（Ｂ）は、図１（Ａ）に示す皮膚刺激具のＡ−Ａ断面図であり、図１（Ｃ）は、図１（Ａ）に示す皮膚刺激具のＢ−Ｂ断面図であり、図１（Ｄ）は、図１（Ａ）に示す皮膚刺激具の右側面図である。
【図２】図２（Ａ）および図２（Ｂ）は、本発明の一実施の形態に係る皮膚刺激具を皮膚に貼り付けた様子を説明するための図である。
【図３】従来の健康具を皮膚に貼り付けた様子を説明するための図である。
【発明を実施するための形態】
【００１０】
以下に、本発明の実施の形態について説明する。
【００１１】
図１（Ａ）は、本発明の一実施の形態に係る皮膚刺激具の概略正面図であり、図１（Ｂ）は、図１（Ａ）に示す皮膚刺激具のＡ−Ａ断面図であり、図１（Ｃ）は、図１（Ａ）に示す皮膚刺激具のＢ−Ｂ断面図であり、図１（Ｄ）は、図１（Ａ）に示す皮膚刺激具の右側面図である。
【００１２】
図示するように、本実施の形態に係る皮膚刺激具は、一方の面１１に粘着テープ（例えばキネシオロジーテープ）が貼り付けられる円板１０と、円板１０の他方の面１２に形成された二本の第一の線状突起部１４−１、１４−２と、第一の線状突起部１４−１、１４−２よりも高低差ｄだけ低くなるように円板１０の他方の面１２に形成された二列の第二の線状突起部１５−１、１５−２と、を備えている。
【００１３】
円板１０は、直径６ミリ程度、厚さ０．８ミリ程度の皮膚に貼り付けても不快にならない最適なサイズの小型円板であり、ＰＥ樹脂、ＡＢＳ樹脂等の樹脂で形成されている。
【００１４】
二本の第一の線状突起部１４−１、１４−２は、円板１０の中心を通る径方向の線１３に対して対称となるように、１．２８ミリ程度の間隔ｔ１をあけて並列に配置されている。第一の線状突起部１４−１、１４−２の高さｈ１（円板１０の他方の面１２からの高さ）は、０．８ミリ程度である。また、第一の線状突起部１４−１、１４−２の両端は円板１０の周縁に位置している。これらの両端には、上述の高さｈ１と略同じ長さを半径ｒ１とするアール１４１が円板１０の径方向に沿って形成されている。
【００１５】
二列の第二の線状突起部１５−１、１５−２は、列の間に第一の線状突起部１４−１、１４−２を挟み、かつ円板１０の中心を通る径方向の線１３に対して対称となるように、３．８４ミリ程度の間隔ｔ２をあけて並列に配置されている。第二の線状突起部１５−１、１５−２の高さｈ２（円板１０の他方の面１２からの高さ）は、０．５ミリ程度であり、したがって上述の高低差ｄは０．３ミリ程度である。また、第二の線状突起部１５−１、１５−２は、両端が円板１０の周縁に位置している。これらの両端には、上述の高さｈ２と略同じ長さを半径ｒ２とするアール１５１が円板１０の径方向に沿って形成されている。さらに、第二の線状突起部１５−１、１５−２は、それぞれ、中央に形成されたギャップ１５２により二つに分断されており、このギャップ１５２と隣接する部分にも半径ｒ２のアール１５３が円板１０の径方向に沿って形成されている。
【００１６】
図２（Ａ）および図２（Ｂ）は、本発明の一実施の形態に係る皮膚刺激具を皮膚に貼り付けた様子を説明するための図である。ここで、図２（Ａ）は、図１（Ａ）に示す皮膚刺激具をＸ方向から見た図であり、図２（Ｂ）は、図１（Ａ）に示す皮膚刺激具をＹ方向から見た図である。
【００１７】
図示するように、本実施の形態に係る皮膚刺激具は、円板１０の一方の面１１（第一の線状突起部１４−１、１４−２および第二の線状突起部１５−１、１５−２が設けられていない側の面）にキネシオロジーテープ等の粘着テープ２０が貼り付けられる。そして、第一の線状突起部１４−１、１４−２および第二の線状突起部１５−１、１５−２で、痛みがある部位を例えば３〜５ｋｇ程度の力で押圧するように、皮膚刺激具は、円板１０の他方の面１２（第一の線状突起部１４−１、１４−２および第二の線状突起部１５−１、１５−２が設けられている側の面）を皮膚３０に向けて粘着テープ２０で皮膚３０に貼り付けられる。これにより、痛みのある部位に触刺激が加えられて、痛みが抑制される。
【００１８】
ここで、第二の線状突起部１５−１、１５−２の高さｈ２を、第一の線状突起部１４−１、１４−２の高さｈ１より低くしているので、皮膚３０を押圧する力Ａが、図２（Ａ）に示すよう放射状に加わって、皮膚３０の表面を引っ張る力が均一化される。このため、図３に示す従来技術と異なり、皮膚３０の表面を引っ張る力が第二の線状突起部１５−１、１５−２の外側縁部の近傍に集中しないので、利用者に与える不快感を低減できる。
【００１９】
また、第一の線状突起部１４−１、１４−２および第二の線状突起部１５−１、１５−２それぞれの両端を円板１０の周縁まで延ばし、かつそれぞれの両端に、これらの高さｈ１、ｈ２と略同じ半径ｒ１、ｒ２のアール１４１、１５１を形成しているので、図２（Ｂ）に示すように、皮膚３０を押圧する力Ａが、第一の線状突起部１４−１、１４−２および第二の線状突起部１５−１、１５−２それぞれの両端近傍で放射状に加わる。このため、皮膚３０の表面を引っ張る力がこれらの両端近傍に集中しないので、利用者に与える不快感をさらに低減できる。
【００２０】
また、第一の線状突起部１４−１、１４−２により、皮膚３０の近接する二ヶ所に同量・同質の力を付与することができ、これにより効率よく触刺激を与えることができる。
【００２１】
なお、上記の実施の形態では、第二の線状突起部１５−１、１５−２の中央にギャップ１５２を形成して、第二の線状突起部１５−１、１５−２のそれぞれを二つに分断しているが、本発明はこれに限定されない。ギャップ１５２を形成しないように、つまり、第二の線状突起部１５−１、１５−２のそれぞれを二つに分断しないようにしてもよい。
【符号の説明】
【００２２】
１０：円板、１４−１、１４−２：第一の線状突起部、１５−１、１５−２：第二の線状突起部、２０：粘着テープ、１４１、１５１、１５３：アール、１５２：ギャップ
【図１】
2012249788.tif 000003
【図２】
2012249788.tif 000004
【図３】
2012249788.tif 000005